(57)【要約】【課題】少なくとも一つの液晶パネルを含む大面積のガラス基板上に直接液晶を滴下する液晶滴下装置を提供する。【解決手段】液晶が充填された容器１２２と、シリンダ１４２、前記シリンダ１４２内に挿入され下部の所定領域に溝１４５aが形成され、回転及び上下運動を行うことで液晶を吸入及び吐出するピストン１４５、前記ピストン１４５の運動により液晶が吸入及び吐出される吸入口１４７及び吐出口１４８、並びに、前記シリンダ１４２及びピストン１４５が収納され下部に透明なウィンドウ１４１cが形成されたケース１４１から構成され、前記容器１２２に充填された液晶を吸入及び吐出する吐出ポンプ１４０と、前記吐出ポンプ１４０から吐出された液晶を基板に滴下するノズル１５０と、を含む液晶滴下装置。【選択図】  図７
2005018078.tif 000002
【特許請求の範囲】
【請求項１】
液晶が充填された容器と、
シリンダ、前記シリンダ内に挿入され下部の所定領域に溝が形成され、回転及び上下運動を行うことで液晶を吸入及び吐出するピストン、前記ピストンの運動により液晶が吸入及び吐出される吸入口及び吐出口、並びに、前記シリンダ及びピストンが収納され下部に透明なウィンドウが形成されたケースから構成され、前記容器に充填された液晶を吸入及び吐出する吐出ポンプと、
前記吐出ポンプから吐出された液晶を基板に滴下するノズルと、
を含んで構成される液晶滴下装置。
【請求項２】
前記ピストンは固定部を介して回転部材に連結され、
前記固定部は、前記吐出ポンプのピストンが固定されて該ピストンを回転運動させる回転部材を含むことを特徴とする請求項１記載の液晶滴下装置。
【請求項３】
前記ピストンにはバーが形成され、前記回転部材にはホールが形成され、前記バーとホールとが結合されることでピストンが回転部材に固定されることを特徴とする請求項２記載の液晶滴下装置。
【請求項４】
前記バーは、前記ホールに回動自在に挿入されることを特徴とする請求項３記載の液晶滴下装置。
【請求項５】
前記吐出ポンプと接触し、該吐出ポンプの固定角度を変化させることで液晶の吐出量を調節する液晶容積調節部材を更に含むことを特徴とする請求項１記載の液晶滴下装置。
【請求項６】
前記液晶容積調節部材を駆動するモータと、
前記液晶容積調節部材と螺合され、前記モータの駆動により回転して前記液晶容積調節部材を直線運動させる回転軸と、
を更に含むことを特徴とする請求項５記載の液晶滴下装置。
【請求項７】
前記モータは、サーボモータであることを特徴とする請求項６記載の液晶滴下装置。
【請求項８】
前記モータは、ステップモータであることを特徴とする請求項６記載の液晶滴下装置。
【請求項９】
前記容器と吐出ポンプとを連結する第１連結管と、
前記第１連結管の端部に設置されて容器に挿入され、内部が通孔されて容器の液晶が流入するピンと、
を更に含むことを特徴とする請求項１記載の液晶滴下装置。
【請求項１０】
前記容器には、ピンが挿入されるパッドが形成され、ピンの挿入時、パッドが収縮してピンとパッドとの間から液晶が漏洩されることを防止することを特徴とする請求項９記載の液晶滴下装置。
【請求項１１】
前記パッドは、シリコンまたはブチルゴム系からなることを特徴とする請求項１０記載の液晶滴下装置。
【請求項１２】
前記吐出ポンプとノズルとを連結する第２連結管を更に含むことを特徴とする請求項１記載の液晶滴下装置。
【請求項１３】
前記第２連結管は、透明な物質からなることを特徴とする請求項１２記載の液晶滴下装置。
【請求項１４】
前記第２連結管の近傍に設置され、吐出ポンプから吐出される液晶に気泡が含まれているか否かを感知する第１感知部を更に含むことを特徴とする請求項１３記載の液晶滴下装置。
【請求項１５】
前記ノズルの近傍に設置され、ノズルの表面に液晶が凝結したことを感知する第２感知部を更に含むことを特徴とする請求項１記載の液晶滴下装置。
【請求項１６】
前記ケースは、分離可能であることを特徴とする請求項１記載の液晶滴下装置。
【請求項１７】
前記ケースの下部に結合される下部キャップを更に含むことを特徴とする請求項１６記載の液晶滴下装置。
【請求項１８】
ケースと、
前記ケースの下部に形成された透明なウィンドウと、
前記ケースに収納されたシリンダと、
前記シリンダ内に挿入され下部の所定領域に溝が形成され、回転及び上下運動を行うことで液晶を吸入及び吐出するピストンと、
前記ピストンの運動により液晶が吸入及び吐出される吸入口及び吐出口と、
を含んで構成される液晶吐出ポンプ。
【請求項１９】
前記ピストンが設定角度に固定され、回転により前記ピストンを回転運動及び上下運動させる回転部材を更に含むことを特徴とする請求項１８記載の液晶吐出ポンプ。
【請求項２０】
前記ピストンにはバーが形成され、前記回転部材にはホールが形成され、前記バーとホールとが結合されることでピストンが回転部材に固定されることを特徴とする請求項１９記載の液晶吐出ポンプ。
【請求項２１】
前記バーは、前記ホールに回動自在に挿入されることを特徴とする請求項２０記載の液晶吐出ポンプ。
【請求項２２】
前記ケースの下部に結合される下部キャップを更に含むことを特徴とする請求項１８記載の液晶吐出ポンプ。
【請求項２３】
前記ウィンドウは、前記下部キャップに形成されることを特徴とする請求項２２記載の液晶吐出ポンプ。
【請求項２４】
下部に透明なウィンドウが形成されたケースと、
前記ケースに収納されたシリンダと、
前記シリンダ内に挿入され下部の所定領域に溝が形成され、回転及び上下運動を行うことで液晶を吸入及び吐出するピストンと、
前記ピストンの運動により液晶が吸入及び吐出される吸入口及び吐出口と、
を含んで構成される吐出ポンプ。
【発明の詳細な説明】
【技術分野】
【０００１】
本発明は、液晶滴下装置に関し、詳しくは、液晶吐出ポンプの下部に透明なウィンドウを設置して液晶の吐出時に発生する気泡を容易に確認することで、液晶滴下装置に不良が発生することを防止できる液晶滴下装置に関する。
【背景技術】
【０００２】
近来、携帯電話、PDA、ノートブックコンピュータのような各種の携帯用電子機器が発展するにつれて、これに適用できる軽型の平板表示装置（Flat Panel Display Device）に対する需要が次第に増大している。このような平板表示装置としては、LCD（Liquid Crystal Display）、PDP（Plasma Display Panel）、FED（Field Emission Display）、VFD（Vacuum Fluorescent Display）などが活発に研究されているが、量産化技術、駆動手段の容易性、高画質の実現という理由により、現在は液晶表示素子（LCD）が脚光を浴びている。
【０００３】
液晶表示素子は、液晶の屈折率異方性を利用して画面に情報を表示する装置である。図１４に示すように、液晶表示素子１は、下部基板５と、上部基板３と、前記下部基板５と上部基板３間に形成された液晶層７と、から構成されている。下部基板５は、駆動素子アレイ基板である。図示していないが、前記下部基板５には、複数の画素が形成されており、各画素には、薄膜トランジスタ（Thin Film Transistor；TFT）のような駆動素子が形成されている。上部基板３は、カラーフィルタ基板であって、実際にカラーを実現するためのカラーフィルタ層が形成されている。さらに、前記下部基板５及び上部基板３には、それぞれ画素電極及び共通電極が形成されており、液晶層７の液晶分子を配向するための配向膜が塗布されている。
【０００４】
前記下部基板５及び上部基板３は、シール材９により合着され、その間に液晶層７が形成され、前記下部基板５に形成された駆動素子により液晶分子を駆動して液晶層を透過する光量を制御することで情報を表示する。
【０００５】
液晶表示素子の製造工程は、下部基板５に駆動素子を形成する駆動素子アレイ工程（薄膜トランジスタ工程）、上部基板３にカラーフィルタを形成するカラーフィルタ工程、及びセル工程に大別されるが、以下、このような液晶表示素子の工程について、図１５を参照して説明する。
【０００６】
まず、薄膜トランジスタ工程により、下部基板５上に配列されて画素領域を定義する複数のゲートライン及びデータラインを形成し、前記各画素領域に前記ゲートライン及びデータラインに接続される駆動素子の薄膜トランジスタを形成する（ステップS１０１）。また、前記薄膜トランジスタ工程により、前記薄膜トランジスタに接続され、薄膜トランジスタを通して信号を印加することによって液晶層を駆動する画素電極を形成する。
【０００７】
一方、上部基板３には、カラーフィルタ工程により、カラーを実現するR、G、Bのカラーフィルタ層及び共通電極を形成する（ステップS１０４）。
【０００８】
次いで、前記上部基板３及び下部基板５にそれぞれ配向膜を塗布した後、上部基板３と下部基板５間に形成される液晶層の液晶分子に配向規制力または表面固定力、即ち、プレチルト角（Pretilt Angel）と配向方向を提供するために、前記配向膜をラビングする（ステップS１０２、S１０５）。その後、下部基板５に所定セルギャップを維持するためのスペーサを散布し、上部基板３の外郭部にシール材９を塗布した後、前記下部基板５及び上部基板３に圧力を加えて合着する（ステップS１０３、S１０６、S１０７）。
【０００９】
ここで、前記下部基板５及び上部基板３は、大面積のガラス基板からなる。言い換えれば、大面積のガラス基板に複数のパネル領域が形成され、前記各パネル領域に駆動素子の薄膜トランジスタ及びカラーフィルタ層が形成されるため、個々の液晶パネルを製作するためには、前記ガラス基板を切断、加工する必要がある（ステップS１０８）。その後、前記加工された個々の液晶パネルに液晶注入口を通して液晶を注入してから前記液晶注入口を封止して液晶層を形成した後、各液晶パネルを検査することで液晶表示素子が完成する（ステップS１０９、S１１０）。
【００１０】
液晶はパネルに形成された液晶注入口を通して注入されるが、このとき、液晶の注入は圧力差により行われる。図１６は、液晶パネルに液晶を注入する装置を示す。図３に示すように、真空チャンバ１０内に、液晶が充填された容器１２が備えられ、その上部に液晶パネル１が位置する。前記真空チャンバ１０は、真空ポンプに連結されて設定された真空状態を維持する。且つ、図示していないが、前記真空チャンバ１０内には、液晶パネル移動用装置が設置され、前記液晶パネル１を容器１２の上部から容器１２まで移動させて、液晶パネル１に形成された注入口１６を液晶１４に接触させる。このような方式を液晶ディッピング方式という。
【００１１】
このように、液晶パネル１の注入口１６を液晶１４に接触させた状態で、真空チャンバ１０内に窒素（N２）ガスを供給して真空チャンバ１０の真空程度を低下させると、前記液晶パネル１の内部と真空チャンバ１０との圧力差により、液晶１４が前記注入口１６を通して液晶パネル１に注入され、液晶１４が液晶パネル１内に完全に充填された後に前記注入口１６を封止材により封止することで液晶層が形成される（このような方式を液晶真空注入方式という）。
【発明の開示】
【発明が解決しようとする課題】
【００１２】
しかしながら、このように真空チャンバ１０内で液晶パネル１の注入口１６を通して液晶１４を注入して液晶層を形成する方法には次のような問題があった。
【００１３】
第１に、液晶パネル１への液晶注入時間が長い。一般に、液晶パネルの駆動素子アレイ基板とカラーフィルタ基板間の間隔は数μm程度で非常に狭いため、単位時間当たり非常に少ない量の液晶のみが液晶パネルの内部に注入される。例えば、約１５インチの液晶パネルを製作する場合、液晶を完全に注入するにはほぼ８時間かかるが、このような長時間の液晶注入により、液晶パネル製造工程が長くなって製造効率が低下する。
【００１４】
第２に、前述したような液晶注入方式においては液晶消耗率が高い。容器１２に充填されている液晶１４中、実際に液晶パネル１に注入される量は非常に少ない量である。一方、液晶は、大気や特定ガスに露出されると、ガスと反応して劣化するだけでなく、液晶パネル１との接触時に流入する不純物により劣化する。よって、容器１２に充填された液晶１４が複数枚の液晶パネル１に注入される場合も、注入後に余る液晶１４を廃棄しなければならないので、高価な液晶の廃棄により液晶パネルの製造費用が増加する。
【００１５】
本発明は、このような従来の課題に鑑みてなされたもので、少なくとも一つの液晶パネルを含む大面積のガラス基板上に直接液晶を滴下する液晶滴下装置を提供することを目的とする。 
本発明の他の目的は、ケースの下部に透明なウィンドウを設置して液晶吐出ポンプに含まれている気泡を容易に検出することで、液晶表示素子に不良が発生することを防止できる液晶滴下装置を提供することにある。
本発明の更に他の目的は、ケースの下部に下部キャップを設置してケースを分離自在に設置し、下部キャップにウィンドウを設置することで、残留液晶を容易に検出及び除去できる液晶滴下装置を提供することにある。
【課題を解決するための手段】
【００１６】
このような目的を達成するため、本発明に係る液晶吐出ポンプは、ケースと、前記ケースの下部に形成された透明なウィンドウと、前記ケースに収納されたシリンダと、前記シリンダ内に挿入され下部の所定領域に溝が形成され、回転及び上下運動を行うことで液晶を吸入及び吐出するピストンと、前記ピストンの運動により液晶が吸入及び吐出される吸入口及び吐出口と、を含んで構成される。
【００１７】
前記ピストンに形成されたバーは、回転部材のホールに回動自在に固定され、該回転部材の回転により回転運動及び上下運動を行うことで液晶を吸入及び吐出する。ケースにウィンドウが形成されることによって液晶吐出ポンプ内に発生する気泡の確認が容易になり、よって、不正確な液晶の滴下による液晶表示素子の不良を防止することができる。
【００１８】
また、前記ケースは、下部キャップを下部に結合して分離自在に製作することができ、前記下部キャップを前記ケースから分離することで、液晶吐出時ケースに残留する液晶を簡単に除去することができる。
【００１９】
本発明に係る液晶滴下装置は、液晶が充填された容器と、シリンダ、前記シリンダ内に挿入され下部の所定領域に溝が形成され、回転及び上下運動を行うことで液晶を吸入及び吐出するピストン、前記ピストンの運動により液晶が吸入及び吐出される吸入口及び吐出口、並びに、前記シリンダ及びピストンが収納され下部に透明なウィンドウが形成されたケースから構成され、前記容器に充填された液晶を吸入及び吐出する吐出ポンプと、前記吐出ポンプから吐出された液晶を基板に滴下するノズルと、を含んで構成される。
【発明の効果】
【００２０】
本発明においては、液晶吐出ポンプのケースの下部に透明なウィンドウを形成して液晶吐出ポンプ内の気泡を容易に検出することで、液晶表示素子に不良が発生することを防止できる。また、ケースに下部キャップを設置して前記ケースを着脱可能に製作し、前記下部キャップにウィンドウを形成することで、ケースの下部に集まる残留液晶を容易に検出及び除去できる。従って、吐出ポンプの洗浄を正確且つ簡単に行うことができ、洗浄時間を短縮し必要ない洗浄を防止することができるので、液晶滴下の効率を向上させる。
【００２１】
液晶ディッピング方式または液晶真空注入方式のような従来の液晶注入方式の欠点を克服するために近来提案されている方法が液晶滴下方式による液晶層形成方法である。前記液晶滴下方式は、パネルの内部と外部との圧力差により液晶を注入するのでなく、液晶を直接基板に滴下（Dropping）及び分配（Dispensing）し、パネルの合着圧力により滴下された液晶をパネル全体にわたって均一に分布させることで液晶層を形成する。このような液晶滴下方式は、短時間に直接基板上に液晶を滴下するため、大面積の液晶表示素子の液晶層の形成も非常に迅速に実施できるだけでなく、必要量の液晶のみを直接基板上に滴下するため、液晶の消耗を最小化して液晶表示素子の製造費用を大幅に削減できるという利点を有する。
【発明を実施するための最良の形態】
【００２２】
以下、本発明を実施するための最良の形態を図面を参照しながら説明する。
図１は、液晶滴下方式の基本的な概念を示す図である。図示するように、前記液晶滴下方式においては、駆動素子が形成された下部基板１０５とカラーフィルタが形成された上部基板１０３とを合着する前に、下部基板１０５上に滴状に液晶１０７を滴下する。前記液晶１０７は、カラーフィルタが形成された上部基板１０３上に滴下することもできる。言い換えれば、液晶滴下方式において液晶滴下の対象となる基板は、TFT基板及びCF基板の何れの基板も可能である。但し、液晶が滴下された基板は、基板の合着時に下部に位置させるべきである。
【００２３】
このとき、上部基板１０３の外郭領域にはシール材１０９が塗布されて、前記上部基板１０３及び下部基板１０５に圧力を加えることによって前記上部基板１０３と下部基板１０５とが合着され、これと同時に、前記圧力により液晶１０７滴が均一に分布されることで、前記上部基板１０３と下部基板１０５間に均一な厚さの液晶層が形成される。言い換えれば、前記液晶滴下方式の最も大きな特徴は、パネル１０１を合着する前に下部基板１０５上に予め液晶１０７を滴下した後、シール材１０９によりパネル１０１を合着することである。
【００２４】
図２は、このような液晶滴下方式が適用された液晶表示素子の製造方法を示す図である。図示するように、薄膜トランジスタ工程及びカラーフィルタ工程を通して、下部基板１０５及び上部基板１０３にそれぞれ駆動素子の薄膜トランジスタ及びカラーフィルタ層を形成する（ステップS２０１、S２０４）。前記薄膜トランジスタ工程及びカラーフィルタ工程は、図１５に示す従来の製造方法と同様な工程であり、複数のパネル領域が形成される大面積のガラス基板に適用される。特に、前記製造方法には液晶滴下方式が適用されるため、従来の製造方法に比べて広いガラス基板、例えば、１０００×１２００mm２以上の面積を有する大面積のガラス基板にも有効に用いることができる。
【００２５】
次いで、前記薄膜トランジスタが形成された下部基板１０５、及びカラーフィルタ層が形成された上部基板１０３に配向膜をそれぞれ塗布した後にラビングを行い（ステップS２０２、S２０５）、下部基板１０５の液晶パネル領域には液晶１０７を滴下し、上部基板１０３の液晶パネルの外郭部領域にはシール材１０９を塗布する（ステップS２０３、S２０６）。
【００２６】
その後、前記上部基板１０３と下部基板１０５とを整列した状態で圧力を加えることで、シール材１０９により前記上部基板１０３と下部基板１０５とを合着すると共に、圧力の印加により滴下された液晶１０７をパネル全体にわたって均一に分布させる（ステップS２０７）。このような工程により、大面積のガラス基板（下部基板１０５及び上部基板１０３）に液晶層が形成された複数の液晶パネルが形成され、このガラス基板を加工、切断して複数の液晶パネルに分離し、各液晶パネルを検査することで液晶表示素子を製作する（ステップS２０８、S２０９）。
【００２７】
図２に示す液晶滴下方式が適用された液晶表示素子の製造方法と、図１５に示す従来の液晶注入方式が適用された液晶表示素子の製造方法とを比較すると、液晶の真空注入と液晶の滴下の差、及び大面積のガラス基板の加工時期の差の他にも相違点があることが分かる。即ち、図１５に示す液晶注入方式が適用された液晶表示素子の製造方法においては、注入口を通して液晶を注入した後に前記注入口を封止材により封止するが、図２に示す液晶滴下方式が適用された製造方法においては、液晶を直接基板に滴下するため、このような注入口の封止工程を必要としない。また、図１５には示していないが、液晶注入方式が適用された製造方法においては、液晶注入時に基板が液晶に接触してパネルの外部面が液晶により汚染されるため、汚染された基板を洗浄するための工程が必要であるが、液晶滴下方式が適用された製造方法においては、液晶を直接基板に滴下するため、パネルが液晶により汚染されることなく、よって、洗浄工程を必要としない。このように、液晶滴下方式による液晶表示素子の製造方法は、液晶注入方式による製造方法に比べて簡単な工程からなるので、製造効率及び収率を向上させる。
【００２８】
このように、液晶滴下方式が導入された液晶表示素子の製造方法において、液晶層を所望の厚さに正確に形成するための最も重要な要因は、液晶の滴下位置及び滴下量である。特に、液晶層の厚さは、液晶パネルのセルギャップと密接な関係を有するので、正確な液晶の滴下位置及び滴下量は、液晶パネルの不良を防止するための非常に重要な要素である。よって、正確な位置に正確な量の液晶を滴下する装置が必要であることに鑑みて、本発明はこのような液晶滴下機を提供する。
【００２９】
図３は、本発明に係る液晶滴下機を利用して基板（大面積のガラス基板）１０５上に液晶１０７を滴下する基本的な概念を示す図である。図示するように、液晶滴下機１２０は、基板１０５の上部に設置されている。図示していないが、前記液晶滴下機１２０の内部には液晶が充填されており、基板上に一定量を滴下する。
【００３０】
通常、液晶は滴状に基板上に滴下される。基板１０５は、x、y方向に設定された速度で移動し、液晶滴下機１２０は、設定された時間間隔毎に液晶を排出するため、基板１０５上に滴下される液晶１０７は、x、y方向に所定間隔に配置される。もちろん、液晶の滴下時、基板１０５は固定させ、液晶滴下機１２０をx、y方向に移動させて液晶を所定間隔に滴下することもできる。しかし、この場合、液晶滴下機１２０の動きにより滴状の液晶が揺れるため、液晶の滴下位置及び滴下量に誤差が発生する恐れがあるので、液晶滴下機１２０を固定させ、基板１０５を移動させることが好ましい。
【００３１】
図４は、本発明に係る液晶滴下機１２０の構造を示す斜視図、図５は、本発明に係る液晶滴下機１２０の分解斜視図である。図４及び図５に示すように、液晶滴下機１２０には、円筒状の液晶容器１２２がケース１２３に収納されている。前記液晶容器１２２は、ポリエチレンから形成され、その内部に液晶１０７が充填されている。前記ケース１２３は、ステンレス鋼から形成され、その内部に前記液晶容器１２２が収納される。通常、ポリエチレンは、成形性が優れていて所望の形状の容器を容易に形成できるだけでなく、液晶１０７が充填されたとき液晶と反応しないため、液晶容器１２２として主に使用される。しかし、前記ポリエチレンは、強度が弱く、外部の弱い衝撃によっても変形しやすいため、液晶容器１２２にポリエチレンを使用する場合は、液晶容器１２２が変形して正確な位置に液晶１０７を滴下させることができない。よって、強度の強いステンレス鋼からなるケース１２３に収納して使用する。
【００３２】
一方、図示していないが、前記液晶容器１２２の上部にはガス供給管が連結され、外部から窒素のようなガスが供給される。このようなガスの供給により、液晶の滴下時、液晶容器１２２の液晶が充填されていない領域の圧力が低下することで、液晶の滴下を阻害しない。
【００３３】
前記液晶容器１２２は、ステンレス鋼のような金属から形成することもできる。この場合、外部の衝撃により液晶容器１２２が変形しないため、外部ケース１２３を必要としない。よって、液晶滴下機１２０の製造費用が削減される。このように、液晶容器１２２を金属から形成する場合、充填された液晶１０７が金属と化学的な反応を起こすことを防止するために、内部にフッ素樹脂膜を塗布することが好ましい。
【００３４】
前記液晶容器１２２の下部には、液晶吐出ポンプ１４０が配設されている前記液晶吐出ポンプ１４０は、液晶容器１２２の液晶を所定量吐出して基板上に滴下するためのもので、前記液晶容器１２２に連結され、前記液晶吐出ポンプ１４０の作動により液晶が吸入される液晶吸入口１４７、及び前記液晶吸入口１４７の反対側に形成され、前記液晶吐出ポンプ１４０の作動により液晶が吐出される液晶吐出口１４８を備えている。
【００３５】
図５に示すように、液晶吸入口１４７には第１連結管１２６が結合されている。図５には前記液晶吸入口１４７が第１連結管１２６に挿入されて結合されているが、ネジのような結合手段により液晶吸入口１４７と第１連結管１２６とを結合することもできる。前記第１連結管１２６の一方の側には、注射針のように内部が通孔されたピン１２８が形成されており、前記第１連結管１２６に液晶を流出する液晶容器１２２の下部には、シリコンやブチルゴム系のように収縮性及び密閉性の強い材質のパッド（図示せず）が設けられている。前記ピン１２８は、パッドを通して液晶容器１２２に挿入され、液晶容器１２２の液晶１０７を液晶吸入口１４７に導く。ピン１２８の挿入時、パッドがピン１２８側に強く収縮するので、ピン１２８の挿入領域から液晶１０７が漏洩することが防止される。このように、ピン１２８及びパッドにより液晶吸入口１４７と液晶容器１２２とを締結するので締結構造が簡単で、よって、締結及び脱着が容易である。
【００３６】
前記液晶吸入口１４７及び第１連結管１２６は、一体に形成することもできる。この場合、ピン１２８が液晶吸入口１４７に形成され、パッドを通して液晶容器１２２に直接挿入されて液晶容器１２２の液晶を流出するので、構造が簡単になる。
【００３７】
前記液晶吐出ポンプ１４０の下部には、ノズル１５０が設置されている。前記ノズル１５０は、第２連結管１６０を介して液晶吐出ポンプ１４０の液晶吐出口１４８に連結され、前記液晶吐出ポンプ１４０から吐出される液晶１０７を基板上に滴下する。
【００３８】
前記第２連結管１６０は、不透明な物質から形成することもできるが、透明な物質から形成することもできる。このように、第２連結管１６０を透明な物質から形成する理由は次のとおりである。
一般に、液晶の滴下時、液晶１０７中に気泡が含まれており、基板に滴下される液晶１０７の滴下量を正確に制御することができない。よって、液晶１０７の滴下時、必ず気泡を除去しなければならない。且つ、気泡は、液晶容器１２２に充填される液晶１０７中にも既に含まれている。液晶１０７中の気泡は、気泡除去装置により除去することはできるものの、全ての気泡を完全に除去することは事実上不可能である。また、液晶容器１２２から液晶吐出ポンプ１４０への液晶１０７の流入時にも気泡が発生し得る。結局、滴下される液晶１０７から気泡を完全に除去することは殆ど不可能である。よって、気泡が発生した場合、液晶滴下機の作動を中断して気泡を除去することが不良を防止するための最良の方法である。
【００３９】
第２連結管１６０を透明な物質から形成することは、液晶容器１２２に含まれている気泡、または液晶容器１２２で発生した気泡を容易に発見して不良を防止するためである。このとき、気泡の発見は作業者の肉眼で行うこともできるが、前記第２連結管１６０の両側にフォトカプラーのような第１センサ１６２を設置して自動的に気泡を発見することで、より確実に不良を防止することができる。
【００４０】
前記第２連結管１６０を通して吐出された液晶が流入するノズル１５０の両側面には、外力などからノズル１５０が破損することを防止するための保護部１５２が設置され、前記ノズル１５０の下部の保護部１５２には、ノズル１５０から滴下される液晶に気泡が含まれているか、またはノズル１５０の表面に液晶が凝結しているか否かを感知するための第２センサ１５４が設置されている。
【００４１】
ノズル１５０の表面に液晶が凝結する現象は、液晶１０７の正確な滴下を阻害する。ノズル１５０を通して液晶が滴下されるとき、液晶吐出ポンプ１４０から設定量の液晶が吐出されても、液晶の一部がノズル１５０の表面に拡散されるため、基板上には設定量より少ない液晶が滴下される。また、ノズル１５０の表面で凝結した液晶が一気に基板に滴下される場合は、液晶表示素子の致命的な不良の原因となり得る。このように、ノズル１５０の表面に液晶が凝結することを防止するために、ノズル１５０の表面には、フッ素樹脂のように液晶に対する接触角（Contact Angle）の高い物質（即ち、疏水性物質）をディッピングやスプレー方法により塗布することもできる。フッ素樹脂の塗布により、滴下される液晶がノズル１５０の表面に拡散されることなく、完全な滴状にノズル１５０を通して液晶パネルに滴下される。
【００４２】
一方、前記液晶吐出ポンプ１４０は、回転部材１５７に挿入されており、前記回転部材１５７は、固定部１５５に固定されている。前記回転部材１５７は、第１モータ１３１に連結されている。前記第１モータ１３１の駆動により、前記回転部材１５７が回転し、前記回転部材１５７に固定された液晶吐出ポンプ１４０が作動する。
【００４３】
前記液晶吐出ポンプ１４０は、バー状の液晶容積調節部材１３４の一方の側に接触している。前記液晶容積調節部材１３４の他方の側には孔が形成され、回転軸１３６が前記孔に挿入される。前記液晶容積調節部材１３４の孔及び回転軸１３６の周面にはネジが形成されて互いに螺合する。また、前記回転軸１３６は、一端が第２モータ１３３に連結され、他端は調節レバー１３７に連結されている。
【００４４】
液晶吐出ポンプ１４０を通して液晶容器１２２から吐出される液晶の量は、回転部材１５７に固定される液晶吐出ポンプ１４０の角度によって異なる。即ち、回転部材１５７に固定される液晶吐出ポンプ１４０の固定角度によって、液晶吐出ポンプ１４０の液晶容積が異なる。前記回転軸１３６に連結された第２モータ１３３を駆動（自動調節）するか、または調節レバー１３７を作動（手動調節）すると、回転軸１３６が回転し、これにより、前記回転軸１３６と螺合された液晶容積調節部材１３４の一端が回転軸１３６に沿って前後に（直線的に）動く。このように、前記液晶容積調節部材１３４の一端が動くことにより、前記液晶吐出ポンプ１４０に印加される力が変化し、よって、前記液晶吐出ポンプ１４０の固定角度が変化する。
【００４５】
前述したように、前記第１モータ１３１は、液晶吐出ポンプ１４０を作動させて液晶容器１２２の液晶を吐出して基板に滴下し、前記第２モータ１３３は、回転部材１５７に固定される液晶吐出ポンプ１４０の固定角度を調節して液晶吐出ポンプ１４０から吐出される液晶の量を制御する。
【００４６】
一方、液晶吐出ポンプ１４０を通して基板に滴下される液晶の１回の滴下量は非常に微細な量で、よって、第２モータ１３３により調節される液晶吐出ポンプ１４０の変化量も微細な量である。これは、液晶吐出ポンプ１４０の吐出量を制御するためには、液晶吐出ポンプ１４０の傾斜角度を非常に微細に調節しなければならないことを意味する。このような微細調節のために、前記第２モータ１３３としては、パルス入力値によって作動するステップモータを使用することが好ましい。
【００４７】
図６及び図７は、液晶吐出ポンプ１４０の構造を示す図で、図６は斜視図、図７は分解斜視図である。
図６及び図７に示すように、前記液晶吐出ポンプ１４０は、液晶吸入口１４７及び液晶吐出口１４８が形成されたケース１４１と、前記ケース１４１の下部に位置し、該ケース１４１に結合される下部キャップ１４１aと、前記下部キャップ１４１aに設置され、前記ケース１４１内部の観察が可能な透明なウィンドウ１４１cと、前記ケース１４１と下部キャップ１４１a間に位置し、液晶の漏洩を防止する第１シール部材１４１bと、上部に開口が形成され、前記ケース１４１に結合される上部キャップ１４４と、前記ケース１４１の内部に挿入されて液晶が吸入されるシリンダ１４２と、前記シリンダ１４２をシールする第２シール部材１４３と、前記上部キャップ１４４の上部に位置し、液晶の漏洩を防止するＯ−リング（o-ring）１４４aと、前記上部キャップ１４４の開口を通してシリンダ１４２に挿入され、上下及び回転運動を行うことで液晶吸入口１４７及び液晶吐出口１４８を通して液晶１０７を吸入及び吐出するピストン１４５と、から構成されている。
【００４８】
前記ピストン１４５の上部には、回転部材１５７に固定されるヘッド１４６aが設置されており、前記ヘッド１４６aには、バー１４６bが設置されている。前記バー１４６bは、回転部材１５７に形成されたホール（図示せず）に挿入固定され、第１モータ１３１の力により前記回転部材１５７が回転運動を行うとき、前記ピストン１４５を回転運動させる。
【００４９】
図７に示すように、ケース１４１下部の外面にネジが形成され、下部キャップ１４１aの内面にもネジが形成され、前記下部キャップ１４１aとケース１４１とが螺合する。即ち、前記ケース１４１と下部キャップ１４１aとは分離自在に製作される。このとき、第１シール部材１４１bは、ケース１４１と下部キャップ１４１a間に位置し、前記ケース１４１と下部キャップ１４１aとが結合されるとき、液晶の漏出を防止する。
【００５０】
また、図示するように、前記下部キャップ１４１aには透明なウィンドウ１４１cが設置されている。前記ウィンドウ１４１cは、前記ケース１４１内部の状態を観察するためのもので、透明度の高い物質、特に、強度の高いガラスや石英が好ましいが、ケース１４１の内部を観察できる程度の透明度を有するならば如何なる物質によっても形成することができる。
【００５１】
このように、ウィンドウ１４１cを形成することにより、作業者はケース１４１の内部を観察できる。即ち、ケース１４１の内部で行われる液晶吐出ポンプ１４０の動作（シリンダとピストンの作動）を観察できる。従って、液晶吐出ポンプ１４０が異常作動するか否かを作業者が肉眼で直接観察することができるため、液晶吐出ポンプ１４０の異常作動による液晶滴下の不良を防止することができる。
【００５２】
また、前記ウィンドウ１４１cにより、液晶１０７に気泡が含まれているか否かを確認することができる。前述したように、液晶１０７中に含まれている気泡は、基板に滴下される液晶の滴下量の制御を阻害する。このような気泡は、液晶容器１２２で液晶１０７に含まれることもあり、液晶吐出ポンプ１４０の動作中に発生することもあるが、このような気泡が液晶吐出ポンプ１４０に流入すると（または、液晶吐出ポンプ１４０内で発生すると）、正確な液晶の吐出量の制御が不可能になる。しかし、本発明のように、ウィンドウ１４１cを形成してケース１４１の内部を作業者が肉眼で直接観察することで、液晶吐出ポンプ１４０の気泡の有無を判断し、液晶吐出ポンプ１４０に気泡が含まれている場合、液晶吐出ポンプ１４０の作動を中止して液晶表示素子に不良が発生することを防止することができる。
【００５３】
一方、図面においては、ケース１４１が着脱可能で、下部キャップ１４１bがケース１４１に結合され、ウィンドウ１４１cは前記下部キャップ１４１bに形成されているが、ケース１４１を一体型（即ち、下部キャップのない構造）から製作し、ケース１４１の下部にウィンドウ１４１cを形成することもできる。しかし、ケース１４１を着脱可能に製作することが次のような理由により好ましい。
【００５４】
液晶吐出ポンプ１４０が作動するとき、シリンダ１４２内部でのピストン１４５の上下運動により、液晶吸入口１４７を通して液晶が吸入され、液晶吐出口１４８を通して液晶が吐出される。液晶は、このような液晶の吸入及び吐出期間中にシリンダ１４２内に留まる。このとき、前記シリンダ１４２の上部に第２シール部材１４３が備えられて、シリンダ１４２の外部への液晶の漏出を防止するが、液晶吐出ポンプ１４０の作動が進行することにより、液晶１０７がシリンダ１４２から漏洩することを避けられなくなる。
【００５５】
このような液晶の漏洩により、シリンダ１４２とケース１４１間には液晶が残留するが、この残留する液晶は、液晶吐出ポンプ１４０の作動時に液晶吐出口１４８を通して吐出されて基板に滴下される場合もある。従って、前記液晶の残留により、正確な量の液晶吐出が不可能になるだけでなく、残留する液晶の汚染を通じて、基板に滴下される液晶が汚染されるという問題が発生する。
【００５６】
このような問題を解決するためには、随時（設定された回数の液晶滴下または液晶吐出を終了した後）液晶吐出ポンプ１４０を洗浄して残留する液晶を除去しなければならない。下部キャップ１４１aがケース１４１と一体に形成される場合、液晶吐出ポンプ１４０を洗浄して残留液晶を除去するためには、シリンダ１４２及びピストン１４５をケース１４１から分離しなければならないため、洗浄が非常に煩雑になる。また、洗浄時間中は液晶滴下装置を使用することができないが、下部キャップ１４１aがケース１４１と一体に形成される場合、洗浄時間が長くなるので液晶滴下の効率が低下するという欠点が発生する。
【００５７】
しかし、下部キャップ１４１aを備えてケース１４１を着脱可能に製作した場合は、前記のような欠点を解決することができる。通常、残留する液晶は、ケース１４１の下部に集まり、よって、前記下部キャップ１４１aを開放してケース１４１の下部に集まった残留液晶を除去することで、ケース１４１の洗浄を簡単に行うことができる。
【００５８】
このとき、第１シール部材１４１bは、ケース１４１と下部キャップ１４１a間に位置し、ケース１４１と下部キャップ１４１a間に残留液晶が漏出することを防止する。しかも、このような場合、ケース１４１に残留する液晶は、下部キャップ１４１bに形成されたウィンドウ１４１cにより確認可能なので、前記ウィンドウ１４１cにより液晶吐出ポンプ１４０の洗浄が容易になる。更に、残留液晶の観察により必要時にのみ洗浄を行うため、必要ない洗浄を省略することができ、液晶滴下の効率を向上させることができる。
【００５９】
一方、図７に示すように、前記ピストン１４５の端部には、溝１４５aが形成されている。該溝１４５aは、ピストン１４５の断面円形状の約１/４面積（または、それ以下の面積）に形成され、ピストン１４５の回転運動時（即ち、上下運動時）に液晶吸入口１４７及び液晶吐出口１４８を開閉することで、前記液晶吸入口１４７及び液晶吐出口１４８を通して液晶を吸入及び吐出させる。
【００６０】
以下、このような液晶吐出ポンプ１４０の作動を説明する。
図８は、液晶吐出ポンプ１４０が回転部材１５７に固定された状態を示す図である。図示するように、ピストン１４５は、回転部材１５７に所定角度αで固定されており、ピストンヘッド１４６aに形成されたバー１４６bは、回転部材１５７の内面に形成されたホール１５９に挿入されて、ピストン１４５と回転部材１５７とが結合される。図示していないが、前記ホール１５９の内部には軸受が備えられて、ホール１５９の内部に挿入されたピストン１４５のバー１４６bが前後左右に動くことが可能になっている。第１モータ１３１が駆動すると、前記回転部材１５７が回転し、よって、前記回転部材１５７に結合された（即ち、固定された）ピストン１４５が回転する。
【００６１】
このとき、回転部材１５７の軸方向に対する液晶吐出ポンプ１４０の軸方向がなす角度、つまり、回転部材１５７に対するピストン１４５の固定角度α、を０°と仮定すると、前記ピストン１４５は、単に回転部材１５７によって回転運動のみを行う。しかし、実質的に前記固定角度αは０°でないため（即ち、回転部材１５７とピストン１４５の回転に関わらず、両者の軸は０でない所定角度に維持されるため）、前記ピストン１４５は、前記回転部材１５７の回転運動に伴って回転運動を行うと共に、上下運動（軸方向の往復運動）を行う。
【００６２】
このようなピストン１４５の運動時、ピストン１４５が所定角度回転して上方に動くと、シリンダ１４２の内部に空いた空間が生じ、この空間に液晶吸入口１４７を通して液晶が吸入され、以後、前記ピストン１４５がさらに回転して下方に動くと、前記シリンダ１４２に吸入された液晶が液晶吐出口１４８を通して吐出される。このとき、前記ピストン１４５に形成された溝１４５aは、ピストン１４５の回転により液晶を吸入及び吐出するとき、液晶吸入口１４７及び液晶吐出口１４８を開閉する役割を果たす。
【００６３】
以下、図９〜図１２を参照して、前述したような液晶吐出ポンプ１４０の作動をより詳しく説明する。
図９〜図１２に示すように、液晶吐出ポンプ１４０は、４行程を通して液晶容器１２２の液晶１０７をノズル１５０に吐出する。図９及び図１１は交叉行程で、図１０は液晶吸入口１４７による吸入行程で、図１１は液晶吐出口１４８による液晶吐出行程である。
【００６４】
図９に示すように、回転部材１５７に所定角度αに固定されたピストン１４５は、回転部材１５７の回転に伴って回転する。このとき、液晶吸入口１４７及び液晶吐出口１４８は、ピストン１４５により閉塞されている。
【００６５】
前記回転部材１５７が約４５゜回転することによってピストン１４５も回転して、図１０に示すように、液晶吸入口１４７がピストン１４５の溝１４５aにより開放される。一方、回転部材１５７のホール１５９にはピストン１４５のバー１４６bが挿入されて、前記回転部材１５７とピストン１４５とを結合する。よって、回転部材１５７の回転によりピストン１４５が回転し、このとき、前記バー１４６bは、回転面に沿って回転する。
【００６６】
ピストン１４５の軸方向が回転部材１５７の軸方向に対して所定の角度を維持し、バー１４６bは回転面に沿って回転するので、前記回転部材１５７が回転することによってピストン１４５が上昇する。また、シリンダ１４２が固定されているので、前記回転部材１４５が回転することによってピストン１４５下部のシリンダ１４２に空間が生じる。よって、溝１４５aにより開放された液晶吸入口１４７を通して前記空間に液晶が吸入される。
【００６７】
このような液晶の吸入は、吸入行程が開始された後（即ち、液晶吸入口１４７が開放された後）、回転部材１５７が約４５゜回転して図１１に示すような交叉行程が開始されるまで（液晶吸入口１４７が閉塞されるまで）続く。
【００６８】
その後、図１２に示すように、前記回転部材１５７がさらに回転することにより、液晶吐出口１４８が開放されると共に、前記ピストン１４５が下降を開始して、シリンダ１４２内の空間に吸入された液晶が前記液晶吐出口１４８を通して吐出される（吐出行程）。
【００６９】
このように、液晶吐出ポンプ１４０は、第１交叉行程、吸入行程、第２交叉行程及び吐出行程からなる４行程を繰り返すことで、液晶容器１２２に充填された液晶１０７をノズル１５０に吐出する。
【００７０】
このとき、液晶の吐出量は、ピストン１４５の上下運動範囲によって異なり、ピストン１４５の上下運動範囲は、回転部材１５７に固定される液晶吐出ポンプ１４０の角度に依存する。
【００７１】
図１３は、液晶吐出ポンプ１４０が回転部材１５７にβの角度に固定された場合を示す図である。液晶吐出ポンプ１４０がα（〈β）の角度に回転部材１５７に固定された図８に比べて、図１３の液晶吐出ポンプ１４０は、ピストン１４５がさらに上方に上昇する。これは、回転部材１５７に固定される角度が増加するほど、ピストン１４５の運動時にシリンダ１４２の内部に吸入される液晶１０７の量が増加することを意味し、結局、回転部材１５７に固定される角度を調節することで液晶の吐出量を制御できるということを意味する。
【００７２】
一方、回転部材１５７に固定される液晶吐出ポンプ１４０の固定角度は、図４に示すように、液晶容積調節部材１３４により制御され、前記液晶容積調節部材１３４は、第２モータ１３３の駆動により動く。言い換えれば、液晶吐出ポンプ１４０の固定角度は、第２モータ１３３を制御することで調節することができる。
【００７３】
もちろん、前記液晶吐出ポンプ１４０の固定角度を角度調節レバー１３７により作業者が手動で調節することもできるが、この場合、正確な調節が困難で、時間が多くかかるだけでなく、作業中に液晶吐出ポンプ１４０の動作を中断しなければならないという欠点も発生する。よって、第２モータ１３３により液晶吐出ポンプ１４０の固定角度を調節することが好ましい。
【００７４】
このとき、液晶吐出ポンプ１４０の固定角度は、変位測定磁気センサ（Linear Variable Differential Transformer）のようなセンサ１３９により測定され、固定角度が設定された角度を超過する場合、警報を発して液晶吐出ポンプ１４０が破損することを防止する。
【図面の簡単な説明】
【００７５】
【図１】本発明に係る液晶滴下方式により製作された液晶表示素子を示す図である。
【図２】液晶滴下方式により液晶表示素子を製作する方法を示すフローチャートである。
【図３】液晶滴下方式の基本的な概念を示す図である。
【図４】本発明に係る液晶滴下機の構造を示す斜視図である。
【図５】本発明に係る液晶滴下機の構造を示す分解斜視図である。
【図６】本発明に係る液晶滴下機の液晶吐出ポンプの構造を示す斜視図である。
【図７】本発明に係る液晶滴下機の液晶吐出ポンプの構造を示す分解斜視図である。
【図８】液晶吐出ポンプが固定部に固定された状態を示す図である。
【図９】液晶吐出ポンプの動作を示す図である。
【図１０】液晶吐出ポンプの動作を示す図である。
【図１１】液晶吐出ポンプの動作を示す図である。
【図１２】液晶吐出ポンプの動作を示す図である。
【図１３】固定角度が増加した液晶吐出ポンプの構造を示す図である。
【図１４】一般の液晶表示素子の断面図である。
【図１５】液晶表示素子を製造する従来の方法を示すフローチャートである。
【図１６】従来の液晶表示素子の液晶注入を示す図である。
【符号の説明】
【００７６】
１２０  液晶滴下機
１２２  液晶容器
１３１  第１モータ
１３３  第２モータ
１３４  液晶容積調節部材
１３６  回転軸
１３７  調節レバー
１４０  液晶吐出ポンプ
１４１  ケース
１４１a  下部キャップ
１４１c  ウィンドウ
１４２  シリンダ
１４５  ピストン
１４５a  溝
１４７  液晶吸入口
１４８  液晶吐出口
１５０  ノズル
１５４  第２センサ
１６２  第１センサ
１６０  連結管
【図１】
2005018078.tif 000003
【図２】
2005018078.tif 000004
【図３】
2005018078.tif 000005
【図４】
2005018078.tif 000006
【図５】
2005018078.tif 000007
【図６】
2005018078.tif 000008
【図７】
2005018078.tif 000009
【図８】
2005018078.tif 000010
【図９】
2005018078.tif 000011
【図１０】
2005018078.tif 000012
【図１１】
2005018078.tif 000013
【図１２】
2005018078.tif 000014
【図１３】
2005018078.tif 000015
【図１４】
2005018078.tif 000016
【図１５】
2005018078.tif 000017
【図１６】
2005018078.tif 000018